(57)【要約】【課題】  分岐電路の使用電力データとスマートメータからの電力量データの双方を管理する機器を収容しても大型化を防止できる分電盤を提供する。【解決手段】  主幹ブレーカ１と、主幹ブレーカ１の２次側に設けられた主幹バー６に接続された複数の分岐ブレーカ２と、個々の分岐ブレーカ２に流れる電流を計測する電流センサユニット２０と、分岐ブレーカ２に隣接する部位に設置されて、電流センサユニットが計測した分岐電流情報を受けて分岐電路毎の使用電力を演算して出力する電力情報出力部を備えた電力情報送信ユニット３とを有し、電力情報送信ユニット３は主幹バー接続部３１を有して、接続された主幹バー６を介して主幹ブレーカ１の一次側に設置されているスマートメータ４とＰＬＣ通信を実施し、ＰＬＣ通信により入手した電力量データに加えて、電流センサユニット２０から入手した分岐電路の使用電力データを外部に出力する。【選択図】  図２
2019047684.tif 000002
【特許請求の範囲】
【請求項１】
主幹ブレーカと、当該主幹ブレーカの２次側に設けられた主幹バーに接続された複数の分岐ブレーカと、個々の前記分岐ブレーカに流れる電流を計測する電流センサユニットと、前記分岐ブレーカに隣接して前記主幹バーに接続され、前記電流センサユニットが計測した分岐電流情報を受けて分岐電路毎の使用電力を演算して出力する電力情報出力部を備えた電力情報送信ユニットとを有する分電盤であって、
前記電力情報送信ユニットは、接続された前記主幹バーを介して前記主幹ブレーカの一次側に設置されているスマートメータとＰＬＣ通信を実施するＰＬＣ通信部を備え、
ＰＬＣ通信により入手した電力量データと共に、前記電流センサユニットから入手して演算した分岐電路の使用電力データを前記電力情報出力部から出力することを特徴とする分電盤。
【請求項２】
前記電力情報出力部は、ＬＡＮ接続通信部、Ｗｉ−Ｆｉ通信部、Ｂｌｕｅｔｏｏｔｈ（登録商標）通信部のうち少なくとも２種類の通信部を備えて、情報出力の信号形態を選択できることを特徴とする請求項１記載の分電盤。
【発明の詳細な説明】
【技術分野】
【０００１】
本発明は分電盤に関し、詳しくはスマートメータから電力量データを入手する機能を備えた分電盤に関する。
【背景技術】
【０００２】
近年、住戸内で使用する電力を居住者が管理できるＨＥＭＳが注目されている。ＨＥＭＳを構築することで無駄な電力使用を無くして使用電力を削減でき、特に電力量計がスマートメータである場合にスマートメータから電力量データを入手することで電力料金の削減を効果的に実施できるため、注目されている。
例えば、特許文献１では、分電盤内の例えば主幹ブレーカの一次側にスマートメータとＰＬＣ通信（電力線搬送通信）するＰＬＣアダプタを配置して、このＰＬＣアダプタに別途外部に設置されているＨＥＭＳコントローラと通信する機能を設け、住戸全体の使用電力の状況に応じて負荷である電気機器の制御を可能としている。
一方で、分岐電流情報を基に消費電力を演算して外部にデータを送信する通信計測ユニットがある（例えば、特許文献２参照）。
【先行技術文献】
【特許文献】
【０００３】
【特許文献１】特開２０１５−７０６８７号公報
【特許文献２】特開２０１４−１９３１０４号公報
【発明の概要】
【発明が解決しようとする課題】
【０００４】
上記特許文献１のＰＬＣアダプタは、スマートメータから送信される電力量データをＨＥＭＳコントローラ等に通知する機能を備えているが、個々の分岐電流を把握してはいないため、負荷の使用状況を十分把握することができなかった。
一方で、上記特許文献２の通信計測ユニットは、個々の負荷で消費される電力を計測できるが、電力量計（スマートメータ）が計測する電力の数値とは連動していないため、住戸全体の使用電力の管理には適していなかった。
そのため、ＰＬＣアダプタと通信計測ユニットの双方を使用して電力管理すれば、的確な管理が可能となるが、ＰＬＣアダプタと通信計測ユニットの双方を分電盤に組み込もうとすると分電盤の大型化は避けられなかった。
【０００５】
そこで、本発明はこのような問題点に鑑み、分岐電路の使用電力データとスマートメータからの電力量データの双方を管理する機器を収容しても大型化を防止できる分電盤を提供することを目的としている。
【課題を解決するための手段】
【０００６】
上記課題を解決する為に、請求項１の発明は、主幹ブレーカと、当該主幹ブレーカの２次側に設けられた主幹バーに接続された複数の分岐ブレーカと、個々の分岐ブレーカに流れる電流を計測する電流センサユニットと、分岐ブレーカに隣接して主幹バーに接続され、電流センサユニットが計測した分岐電流情報を受けて分岐電路毎の使用電力を演算して出力する電力情報出力部を備えた電力情報送信ユニットとを有する分電盤であって、電力情報送信ユニットは、接続された主幹バーを介して主幹ブレーカの一次側に設置されているスマートメータとＰＬＣ通信を実施するＰＬＣ通信部を備え、ＰＬＣ通信により入手した電力量データと共に、電流センサユニットから入手して演算した分岐電路の使用電力データを電力情報出力部から出力することを特徴とする。
この構成によれば、１つの機器を分電盤に設けるだけで分岐電路の使用電力データに加えて住戸内で消費される全体の電力量データを居住者等が入手することができるため、的確な電力管理が可能となる。そして、電力情報送信ユニットは分岐ブレーカと同様に主幹バーに接続されるため、別途設置スペースを設ける必要が無く省スペースで組み付けでき分電盤の大型化を避けることができる。更に、スマートメータに近い分電盤内の主幹バーに電力情報送信ユニットが配置されるため、スマートメータと信頼性の高いＰＬＣ通信を実施できる。
【０００７】
請求項２の発明は、請求項１に記載の構成において、電力情報出力部は、ＬＡＮ接続通信部、Ｗｉ−Ｆｉ通信部、Ｂｌｕｅｔｏｏｔｈ（登録商標）通信部のうち少なくとも２種類の通信部を備えて、情報出力の信号形態を選択できることを特徴とする。
この構成によれば、出力信号の形態を選択できるため、複数種類のＨＥＭＳ機器に対応でき、電力情報を入手するために新たな機器を設け無くて済む。
【発明の効果】
【０００８】
本発明によれば、１つの機器を分電盤に設けるだけで分岐電路の使用電力データに加えて住戸内で消費される詳細な電力データを居住者等が入手することができるため、的確な電力管理が可能となる。そして、電力情報送信ユニットは分岐ブレーカと同様に主幹バーに接続されるため、別途設置スペースを設ける必要が無く省スペースで組み付けでき分電盤の大型化を避けることができる。更に、スマートメータに近い分電盤内の主幹バーに電力情報送信ユニットが配置されるため、スマートメータと信頼性の高いＰＬＣ通信を実施できる。
【図面の簡単な説明】
【０００９】
【図１】本発明に係る分電盤の一例を模式的に示す構成図である。
【図２】電力情報送信ユニットのブロック図である。
【発明を実施するための形態】
【００１０】
以下、本発明を具体化した実施の形態を、図面を参照して詳細に説明する。図１は本発明に係る分電盤の一例を模式的に示した構成図であり、分電盤１０には、主幹ブレーカ１、分岐ブレーカ２、電力データを外部に出力する電力情報送信ユニット３が組み付けられている。
主幹ブレーカ１の一次側には、電力量計であるスマートメータ４を介して商用電源からの引き込み線Ｌが接続されている。また、２次側は接続導体５を介して分電盤内において左右に亘り配設された主幹バー６が接続され、この主幹バー６を挟む様に分岐ブレーカ２が隣接して上下にそれぞれ列設されている。
【００１１】
そして、２１は個々の分岐ブレーカ２を流れる分岐電流を計測するための電流センサが組み付けられた電流センサ基板、２２は計測した分岐電流情報を電力情報送信ユニットに送信するためのセンサ接続基板であり、双方で電流センサユニット２０を構成し、これらは主幹バー６に重ねるように設置されている。
【００１２】
電力情報送信ユニット３は、分岐ブレーカ２と同様に主幹バー６に接続する主幹バー接続部３１（図２に示す）を有し、分岐ブレーカ２に隣接する所定の位置に組み付けられると主幹バー６に接続されて電源が供給される。
図２は電力情報送信ユニット３のブロック図を示している。図２に示すように電力情報送信ユニット３は、主幹バー接続部３１に加えて、電流センサユニット２０と通信する内部通信ＩＦ３２、主幹バー６を介してスマートメータ４とＰＬＣ通信を実施するＰＬＣ通信ＩＦ３３、ＬＡＮ端子を有してＬＡＮ通信を実施する第１外部通信ＩＦ３４、アンテナ３５ａを有してＷｉ−Ｆｉ通信する第２外部通信ＩＦ３５、アンテナ３６ａを有してＢｌｕｅｔｏｏｔｈ（登録商標）通信を実施する第３外部通信ＩＦ３６、通信方式を選択操作する操作部３７、電力情報送信ユニット３を制御する電力情報送信ユニットＣＰＵ３８、そして主幹バー６に接続された電源部３９等を備えている。第１〜第３外部通信ＩＦ３４〜３６が電力情報出力部を構成している。
【００１３】
このように構成された分電盤１０において、電力情報送信ユニット３は以下の様に動作する。先ず、信号を出力するインターフェースが選択される。この選択は操作部３７が操作されて選択され、ＬＡＮ、Ｗｉ−Ｆｉ、Ｂｌｕｅｔｏｏｔｈ（登録商標）の少なくとも何れかが選択される。この選択操作は複数の通信形態を選択しても良い。
例えば、図示しないＨＥＭＳコントローラにＬＡＮ接続され、また例えば居住者が携行するスマートフォン等の機器とＢｌｕｅｔｏｏｔｈ（登録商標）通信を可能とする場合、第１外部通信ＩＦ３４と第２外部通信ＩＦ３５とが選択される。
尚、ＨＥＭＳとはHome Energy Management Systemの略で、ＨＥＭＳコントローラは、どこで、どのくらいの電力を使っているか表示する機能を有し、場合によっては電力の使用状況に応じて家電機器を制御する機能を備えた機器のことである。
【００１４】
電力情報送信ユニット３は、引き込み線Ｌ、主幹バー６を介してスマートメータ４とＰＬＣによるＢルート通信を実施し、スマートメータ４から消費電力データを入手する。
また、電流センサユニット２０から各分岐電路の電流情報を内部通信ＩＦ３２を介して入手して、電源ラインを構成する主幹バー６から別途入手した電圧情報を基に分岐電路毎の使用電力を演算する。
こうして入手した消費電力データ、及び演算した各分岐電路の使用電力データは第１外部通信ＩＦ３４を介してＬＡＮ接続されたＨＥＭＳコントローラに出力され、第２外部通信ＩＦ３５を介してＷｉ−Ｆｉ信号によりスマートフォン等に出力される。
【００１５】
この構成によれば、１つの機器を分電盤１０に設けるだけで分岐電路の使用電力データに加えて住戸内で消費される全体の電力量データを居住者等が入手することができるため、的確な電力管理が可能となる。そして、電力情報送信ユニット３は分岐ブレーカ２と同様に主幹バー６に接続されるため、別途設置スペースを設ける必要が無く省スペースで組み付けでき分電盤１０の大型化を避けることができる。更に、スマートメータ４に近い分電盤１０内の主幹バー６に電力情報送信ユニット３が配置されるため、スマートメータ４と信頼性の高いＰＬＣ通信を実施できる。
また、ＬＡＮ、Ｗｉ−Ｆｉ、Ｂｌｕｅｔｏｏｔｈ（登録商標）から出力信号の形態を選択できるため、複数種類のＨＥＭＳ機器に対応でき、電力情報を入手するために新たな機器を設け無くて済む。
【００１６】
尚、上記実施形態では、信号出力の形態が、ＬＡＮ、Ｗｉ−Ｆｉ、Ｂｌｕｅｔｏｏｔｈ（登録商標）から選択しているが、これにＷｉ−ＳＵＮ（登録商標）を加えても良い。
【符号の説明】
【００１７】
１・・主幹ブレーカ、２・・分岐ブレーカ、３・・電力情報送信ユニット、４・・スマートメータ、６・・主幹バー、２０・・電流センサユニット、３１・・主幹バー接続部、３３・・ＰＬＣ通信ＩＦ（ＰＬＣ通信部）、３４・・第１外部通信ＩＦ（ＬＡＮ接続通信部）、３５・・第２外部通信ＩＦ（Ｗｉ−Ｆｉ通信部）、３６・・第３外部通信ＩＦ（Ｂｌｕｅｔｏｏｔｈ（登録商標）通信部）。
【図１】
2019047684.tif 000003
【図２】
2019047684.tif 000004